(57)【要約】      （修正有）【課題】磁力のみによって駆動、停止を行う磁力原動機の実用化を促進し、より強力な磁力による吸引反発作用を得ることのできる磁力原動機を提供する。【解決手段】磁力原動機は、側面使用のＮ盤とＳ盤を合す所へステンレ−ス棒２５ｍｍを挟んだ輪を一段毎に４５ｍｍ離し、同符号反発させるように四段重ねた輪の中へ二段重ねの回転磁石２を入れると強い力で回転する。静止線上を越えるとスプリングの力で１５ｍｍ下のＳ盤へ押し下げると、一段目は正常回転力と反対回転力が同じ力になって回転力が無くなり、二段目は強い力で１８０度回転し静止線上を越えるとカムにより１５ｍｍ上のＳ盤へ押し上げると強い力で回転運動する。【選択図】図１
2011030402.tif 000002
【特許請求の範囲】
【請求項１】
１５の様に厚み３０ｍｍで側面使用した固定磁石輪の中へＮ盤使用のＳが後Ｎが先にした回転磁石を入れると内径６００ｍｍφも強い吸引反発力で１８０度回転します。
従つて永久磁石モ−タは１個の磁石輪を作り上面をＮ下面をＳにした輪を半円に切りＮとＳを合す２ケ所を２５ｍｍ切り込みステンレ−ス棒を入れた固定磁石輪の中へＮ盤使用のＳが後Ｎが先にした回転磁石を入れるとＮ盤の端から端まで強い吸引反発力で回転し静止線上を越えるとスプリングの力で下のＮ盤へ１５ｍｍ押し下げるとＮ盤の端から端まで強い吸引反発力で回転し静止線上を越えるとカムにより１５ｍｍ上のＮ盤へ押し上げると強い吸引反発力で円芯運動します。
【請求項２】
次はＳ盤に対しても回転磁石をＮが後Ｓが先にすると同符号反発方向へ回転し  その回転力でＮ盤へ侵入さすと強い反対力により静止線上で停止します。
回転磁石をカムで上下させる限界は２５ｍｍ内  これによつて正常回転力と反対回転力が同じ力になると回転力が無くなります。  それによつて要所をフ−リ回転させると回転効率が高くなります。
２極輪の４段重ねは下の輪から４５ｍｍ上の磁石輪と反発させるように組むこと
カムについて静止線を元にトツプ後方をバツク前方は停止となります。従つて回転磁石が静止線上を越えるとカムで上のＮ盤へ押し上げ  次はスプリングの力で下のＮ盤へ押し下げるサイクルを行います。始動はカムの山を下だつた所をカツトしているから回転磁石の足を押せばよい。
１４側面使用の固定磁石輪の中へ側面使用のＮが後Ｓが先のＳ回転磁石を入れるとＳ盤の端から端まで強い力で回転します。
１５側面使用の固定磁石輪の中へ表面使用のＳ回転磁石を入れるとＳ盤の中心からＮ盤の中心まで強い力で回転します。
１６表面使用の固定磁石輪の中へ表面Ｎ回転磁石を入れるとＮ盤とＳ盤の強い直線吸着力により回転力が弱くなります。これら総ての装置
【請求項３】
スプリングモ−タは大型プ−リの軸元へカムを固定し外部は重り付ぎポツチを取り付けること。
【請求項４】
天秤棒へスプリングを固定しカムと天秤棒で下から上へ３５ｍｍスプリングを縮め一瞬に伸びる速い速度と強い力をポツチから重りへ伝えると強い力で円芯運動します
これら総ての装置
【発明の詳細な説明】
【発明の詳細な説明】
【０００１】
【発明の名称】
磁力とスプリング原動機（モ−タ）
【技術分野】
【０００２】人々がが永遠に使用するエネルギ−に磁力とかスプリングの瞬発力といつた核運動エネルギ−なのでこれらの材料は鉄の酸化物といつて鉄のさびでスプリングは鋼鉄ですから無尽蔵に有ります。
【課題を解決するための手段】
【０００３】１４実験で側面使用の固定磁石輪の厚み３０ｍｍある中へ回転磁石を入れると強い力で１８０度回転します。
この側面使用の固定磁石輪が決めてとなりました。［出願番号特願平３−６１３８０平成３年３月１日］
１６実験で表面使用の固定磁石輪の中へ  回転磁石を入れるとＮ盤とＳ盤の吸着力が強く回転力は弱くなります。
１７実験でスプリング原動機は大型プ−リの軸元へカムとスプリング付き天秤棒でスプリングを３５ｍｍ縮めることが解決となります。
【０００４】１  側面使用の固定磁石輪の中へ  ２  回転磁石の側面使用した  ３  回転子を  １１  主軸へ通し  ７  カム使用して上へ押し上げると強い力と速い速度で回転し次はスプリングの力で下へ押し下ると正常回転力と反対回転力が同じ力になると回転力が無くなることにより回転子は強い力と速い速度で円芯運動します。
【０００５】１７スプリング原動機（モ−タ）は物体の落下速度９．８ｍ  ２６スプリングをカムと天秤棒で縮め一瞬に伸びる速度は音速を越えることにより  ２３回転子の軸元へ  ２２カムを取り付け  ２０天秤棒でスプリングを縮め一瞬に伸びる強い力と速い速度を外部の１８重り付き  １９ポツチを打つと回転子は強い力と速い速度で円芯運動します。
【図面の簡単な説明】
【０００６】
【図１】  磁力原動機の２極４段重ねの断面図
【図２】  磁力原動機で静止線上を元に  トツプ  バツク  停止を示した平面図
【図３】  ４段重ねの固定磁石輪を示した図
【図４】  主軸を示した図
【図５】  回転子を上下させるスプリングを示した図
【図６】  磁力原動機のカバ内部は磁石を固定させる輪を示した斜視図
【図７】  図のカバ内部の磁石止め輪を示した図
【図８】  側面使用の固定磁石輪とステンレ−ス棒を示した図
【図９】  ２重カムパイプを示した図
【図１０】  磁力原動機の回転子を示した斜視図
【図１１】  回転磁石を入れる箱の蓋を示した図
【図１２】  回転磁石の箱材料を示した図
【図１３】  回転子へ使用する磁石を示した図
【図１４】  側面使用の固定磁石輪と側面使用の回転磁石を示した図
【図１５】  側面使用の固定磁石輪と表面使用の回転磁石を示した図
【図１６】  表面使用の固定磁石輪と表面使用の回転磁石を示した図
【図１７】  スプリング原動機を実証する天秤棒などを示した図
【図１８】  スプリング原動機を示した斜視図
【図１９】  カムと主軸を示した斜視図
【図２０】  スプリング原動機の平面図
【図２１】  大型プ−リの外部へポツチと重りを示した図
【図２２】  天秤棒とスプリング付受け皿を示した図
【図２３】  スプリング原動機を示した平面図
【符号の説明】
【０００７】  １  側面使用の固定磁石輪    ２  回転磁石    ３  回転子    ４  カバ内部の固定磁石止め輪    ７  ２重カムパイプ    １６  表面使用の固定磁石輪    ２０  天秤棒    ２１  主軸    ２２  高さ３５ｍｍから急落下させるカム    ２６  スプリングと２５受け皿
【図１】
2011030402.tif 000003
【図２】
2011030402.tif 000004
【図３】
2011030402.tif 000005
【図４】
2011030402.tif 000006
【図５】
2011030402.tif 000007
【図６】
2011030402.tif 000008
【図７】
2011030402.tif 000009
【図８】
2011030402.tif 000010
【図９】
2011030402.tif 000011
【図１０】
2011030402.tif 000012
【図１１】
2011030402.tif 000013
【図１２】
2011030402.tif 000014
【図１３】
2011030402.tif 000015
【図１４】
2011030402.tif 000016
【図１５】
2011030402.tif 000017
【図１６】
2011030402.tif 000018
【図１７】
2011030402.tif 000019
【図１８】
2011030402.tif 000020
【図１９】
2011030402.tif 000021
【図２０】
2011030402.tif 000022
【図２１】
2011030402.tif 000023
【図２２】
2011030402.tif 000024
【図２３】
2011030402.tif 000025
【手続補正書】
【提出日】平成21年11月25日(2009.11.25)
【手続補正１】
【補正対象書類名】特許請求の範囲
【補正対象項目名】全文
【補正方法】変更
【補正の内容】
【特許請求の範囲】
【請求項１】
１５の様に厚み３０ｍｍで側面使用しＮ盤とＳ盤合した所へ６０ｍｍカットして空間を作った中へ回転磁石を入れると内径６００ｍｍφも強い吸引反発力で１８０度回転します。
磁力原動機は側面使用する４極の固定磁石輪の厚み３０ｍｍ外径４００φ内径３５０φを４等分してカットしＮ盤・Ｓ盤・Ｎ盤・Ｓ盤と合せた４ヶ所へ５０ｍｍ宛カットしステンレース棒を挟んだ固定磁石輪を一段毎に４５ｍｍ離し同符合反発させる様に４段重ねた輪の中へ２段重ねの回転磁石を入れると強い吸引反発力で回転し静止線上を越えるとスプリングの力で下のＮ盤へ１５ｍｍ押し下げるとＮ盤の端から端まで強い吸引反発力で回転し静止線上を越えるとカムにより１５ｍｍ上のＮ盤へ押し上げると強い吸引反発力で円芯運動します。
【請求項２】
次はＳ盤に対しても回転磁石をＮが後Ｓが先にすると同符合反発方向へ回転し、その回転力でＮ盤へ侵入さすと強い反対力により静止線上で停止します。
回転磁石をカムで上下させる限界は３０ｍｍ内、これによって正常回転力と反対回転力が同じ力になると回転力が無くなります。それによって要所をフーリ回転させると回転効率が高くなります。
４極輪の４段重ねは下の輪から４５ｍｍ上の磁石輪と反発させるように組むこと
カムについて静止線上を元にトップ後方をバック前方は停止となります。従って回転磁石が静止線上を越えるとカムで上のＮ盤へ押し上げ、次はスプリングの力で下のＮ盤へ押し下げるサイクルを行います。始動はカヌの山を下った所をカットしているから回転磁石の足を押せばよい。
１４側面使用の固定磁石輪の中へ側面使用のＮが後Ｓが先のＳ回転磁石を入れるとＳ盤の端から端まで強い力で回転します。
１５側面使用の固定磁石輪の中へ表面使用のＳ回転磁石を入れるとＳ盤の中心からＮ盤の中心まで強い力で回転します。
１６表面使用の４極固定磁石輪の中へ表面Ｎ回転磁石を入れるとＮ盤の中心からＳ盤の中心まで強い力で回転します。
【請求項３】
スプリングモーターは大型プーリの軸元へカムを固定し外部は重り付きポッチを取り付ける。
【請求項４】
天秤棒へスプリングを固定しカムと天秤棒で下から上へ３５ｍｍスプリングを縮め一瞬に伸びる速い速度と強い力をポッチから重りへ伝えると強い力で円芯運動します。
これら総ての装置。
【手続補正２】
【補正対象書類名】明細書
【補正対象項目名】全文
【補正方法】変更
【補正の内容】
【発明の詳細な説明】
【０００１】（発明の名称）磁力とスプリング原動機（モーター）
【技術分野】
【０００２】人々が永遠に使用するエネルギーに磁力とかスプリングの瞬発力といった核運動エネルギーなのでこれらの材料は鉄の酸化物といって鉄のさびでスプリングは鋼鉄ですから無尽蔵に有ります。
【課題を解決するための手段】
【０００３】実験で図１４・図１５・図１６の様に８極を表面使用する固定磁石輪の厚み３０ｍｍ外径６４０φ内径６００φをＮ盤Ｓ盤の様に８等分に合わせた８ヶ所へ５０ｍｍ宛カットし、ステンレス棒を挟んだ輪の中へ表面使用のＮ回転磁石を入れるとＮ盤の中心からＳ盤の中心まで強い力で回転します。これが決め手に成りました。
従来の磁気力を利用して磁石を回転させる方法、又は磁力原動機は、特開昭５０−１１２７０９号公報、特開昭５４−６９７０７号公報ニ開示されている。
出願番号特願平３−６１３８０平成３年３月１日
１７実験でスプリング原動機は大型プーリの軸元へカムとスプリング付き天秤棒でスプリングを３５ｍｍ縮めることが解決となります。
【０００４】１０側面使用の固定磁石輪の中へ、１３回転磁石の側面使用した１３回転子を２１主軸へ通し、１８カム使用して上へ押し上げると強い力と速い速度で回転し次はスプリングの力で下へ押し下げると正常回転力と反対回転力が同じ力になると回転力が無くなることにより回転子は強い力と速い速度で円芯運動します。
【０００５】１７スプリング原動機（モータ）は物体の落下速度９．８ｍ、４スプリングをカムと天秤棒で縮め一瞬に伸びる速度は音速を超えることにより７回転この軸元へ８カムを取り付け３天秤棒でスプリングを縮め一瞬に伸びる強い力と速い速度を外部の重り付き２ポッチを打つと回転子は強い力と速い速度で円芯運動します。
【図面の簡単な説明】
【０００６】
【図１】磁力原動機の４極４段重ねた斜視図
【図２】磁力原動機はカム使用して始動トップ  バック  停止を示した平面図
【図３】４極４段重ねた図
【図４】主軸を示した図
【図５】回転子を上下させるスプリングを示した図
【図６】４段重ねの固定磁石輪を示した平面図
【図７】カバ内部の磁石止め輪を示した図
【図８】側面使用の固定磁石輪とステンレース棒を示した図
【図９】カムパイプを示した図
【図１０】磁力原動機の回転子を示した斜視図
【図１１】回転子へ使用する磁石を示した図
【図１２】ステンレース箱を示した図
【図１３】回転磁石を入れる箱の蓋を示した図
【図１４】側面使用の固定磁石輪と側面使用の回転磁石を示した図
【図１５】側面使用の固定磁石輪と表面使用の回転磁石を示した図
【図１６】表面使用の固定磁石輪と表面使用の回転磁石を示した図
【図１７】スプリング原動機を実証する天秤棒などを示した図
【図１８】スプリング原動機を示した斜視図
【図１９】カムと主軸を示した斜視図
【図２０】スプリング原動機の平面図
【図２１】天秤棒とスプリング付受け皿を示した図
【図２２】大型プーリの外部へポッチと重りを示した図
【図２３】スプリング原動機を示した平面図
【符合の説明】
【０００７】１０  ４極固定磁石輪  １１  アルミ挟んだ２段重ねの磁石  １２  ステンレース箱  １３  回転子  １４  足  １５  ステンレース輪  １６  ステンレース棒  １７  カムパイプの内部へステンレース輪を熔接する  １８  カムパイプ  １９  軟鉄カバ  ２０  スプリング  ２１  主軸  ２２  磁石を入れる箱  ２３  蓋  ２４  側面固定磁石輪の中へ側面回転磁石を入れると強い力で１８０度回転します  ２５  固定磁石輪の磁気放射方向を示しています  ２６  側面固定磁石輪の中へ表面回転磁石を入れると強い力で１８０度回転します  ２７  カム線上で回転磁石を１５ｍｍ上・下さす事を示しています  ２８  ４極表面固定磁石輪の中へ表面回転磁石輪を入れると強い力で回転します  ２９  ４極の固定磁石輪の磁気放射方向を示しています  ４  スプリング付受け皿  ３  天秤棒  ２  ポッチ  １  重り  ９  主軸  ６  クラッチ棒  ７  大型プーリ  ８  カムプーリ  ５  受け皿
【手続補正３】
【補正対象書類名】図面
【補正対象項目名】全図
【補正方法】変更
【補正の内容】
【図１】
2011030402.tif 000026
【図２】
2011030402.tif 000027
【図３】
2011030402.tif 000028
【図４】
2011030402.tif 000029
【図５】
2011030402.tif 000030
【図６】
2011030402.tif 000031
【図７】
2011030402.tif 000032
【図８】
2011030402.tif 000033
【図９】
2011030402.tif 000034
【図１０】
2011030402.tif 000035
【図１１】
2011030402.tif 000036
【図１２】
2011030402.tif 000037
【図１３】
2011030402.tif 000038
【図１４】
2011030402.tif 000039
【図１５】
2011030402.tif 000040
【図１６】
2011030402.tif 000041
【図１７】
2011030402.tif 000042
【図１８】
2011030402.tif 000043
【図１９】
2011030402.tif 000044
【図２０】
2011030402.tif 000045
【図２１】
2011030402.tif 000046
【図２２】
2011030402.tif 000047
【図２３】
2011030402.tif 000048